(57)【特許請求の範囲】
【請求項１】
光ファイバケーブルから引き出された光ファイバ心線どうしを接続する光接続部を収納するための光ファイバ接続部の収納構造を内部に備えるクロージャであって、
クロージャは、長さ方向の両端にそれぞれ光ファイバケーブルを保持するクロージャスリーブと、クロージャスリーブの内部中央に配置された光ファイバ接続部の収納構造とを備え、
前記光ファイバ接続部の収納構造は、光ファイバの接続部を収納する複数の光接続部収納トレーと、該光接続部収納トレーを前後方向にスライド可能に支持する支持部材とからなり、
光接続部収納トレーは、矩形の平板形状を有し、相対する両側部に沿ってそれぞれ設けられたガイドレール部と、該光接続部収納トレーのスライド方向に沿って並列配置された光接続部保持部とを備え、
支持部材は、光接続部収納トレーのスライド方向に沿って延出し、光接続部収納トレーのガイドレール部をそれぞれスライド可能に支持する一対の支持アームを複数備え、かつ該支持アームが上下に階層配置されて上下に隣り合う支持アームの間に間隙が形成されており、
それぞれの光ファイバケーブルから引き出された光ファイバは、前記支持部材の側方を迂回して、前記光ファイバケーブルが保持された側とは反対側の側面から収納トレー上に配されており、
接続された光ファイバの余長部分は、クロージャスリーブ内において、前記光ファイバケーブルが保持された側とは反対側の端部と前記光ファイバ接続部の収納構造との間に収納されており、
前記光ファイバ接続部の収納構造において、光接続部保持部の両側に、光接続部保持部に収納される光接続部の両端から延びる光ファイバ心線をそれぞれ保持する心線保持部を備えてなり、心線保持部は、弾性部材に光ファイバ心線が差し込まれて挟持される切り込み部が形成されてなることを特徴とするクロージャ。
【発明の詳細な説明】
【０００１】
【発明の属する技術分野】
本発明は、光ファイバ接続部の収納構造を内部に備えるクロージャに関するものである。
【０００２】
【従来の技術】
通信ケーブルとして使用される光ファイバケーブルの接続箇所には、光ファイバ心線の接続部を収納するクロージャが配設されている。このクロージャの内部には、クロージャの両端に配された光ファイバケーブルから引き出された光ファイバ心線どうしを接続するＭＴコネクタ等の光接続部、および接続された光ファイバ心線の余長部分を保護収納するために、余長処理シートや光接続部収納ケースが設けられている。
【０００３】
余長処理シートにおいては、光ファイバ心線の余長部分がループ状に巻回され、そのループの途中に光接続部が位置するようにして収納されている。
また、光接続部収納ケースにおいては、平面状の収納ケース底部に規則的に配置された光接続部保持部に光接続部が個々に配置され、その両側に光ファイバ心線の余長部分がループ状に巻回されて収納されている。
【０００４】
【発明が解決しようとする課題】
ところで、光ファイバケーブルを用いた通信網の普及に伴い光ファイバケーブルの高密度、多心化が進むなか、従来の収納構造を有するクロージャではその容量が不足しがちであり、しかも光ファイバ心線の余長部分の納りが悪い、接続、分岐に伴う作業がやり難いといった問題が生じている。
【０００５】
例えば、余長処理シートによれば、シート内で複数の光接続部が不規則に収納されてしまうので、実際に接続替え作業等を行う場合に任意の光接続部を取り出すのが簡単ではない。
また、光接続部収納ケースによれば、光接続部を平面的にしか収納できないので、光接続部の収納密度が低い。
【０００６】
本発明は上記の事情に鑑みてなされたものであり、極めてコンパクトに接続部を収納することができ、しかも光ファイバケーブルの接続切り替えや分岐接続作業が容易に実施可能な光ファイバ接続部の収納構造を内部に備えるクロージャを提供することを目的としている。
【０００７】
【課題を解決するための手段】
請求項１に記載されたクロージャは、光ファイバケーブルから引き出された光ファイバ心線どうしを接続する光接続部を収納するための光ファイバ接続部の収納構造を内部に備えるクロージャであって、クロージャは、長さ方向の両端にそれぞれ光ファイバケーブルを保持するクロージャスリーブと、クロージャスリーブの内部中央に配置された光ファイバ接続部の収納構造とを備え、前記光ファイバ接続部の収納構造は、光ファイバの接続部を収納する複数の光接続部収納トレーと、該光接続部収納トレーを前後方向にスライド可能に支持する支持部材とからなり、光接続部収納トレーは、矩形の平板形状を有し、相対する両側部に沿ってそれぞれ設けられたガイドレール部と、該光接続部収納トレーのスライド方向に沿って並列配置された光接続部保持部とを備え、支持部材は、光接続部収納トレーのスライド方向に沿って延出し、光接続部収納トレーのガイドレール部をそれぞれスライド可能に支持する一対の支持アームを複数備え、かつ該支持アームが上下に階層配置されて上下に隣り合う支持アームの間に間隙が形成されており、それぞれの光ファイバケーブルから引き出された光ファイバは、前記支持部材の側方を迂回して、前記光ファイバケーブルが保持された側とは反対側の側面から収納トレー上に配されており、接続された光ファイバの余長部分は、クロージャスリーブ内において、前記光ファイバケーブルが保持された側とは反対側の端部と前記光ファイバ接続部の収納構造との間に収納されていることを特徴とする。
【０００８】
請求項１に記載されたクロージャの光ファイバ接続部の収納構造においては、光接続部収納トレー上に光接続部が並列に配置され、さらにこの光接続部収納トレーが支持アームによって上下に階層配置されることによって光接続部が立体的に配置される。
【０００９】
また、光接続部保持部に保持された光接続部から延びる光ファイバ心線は、上下に隣り合う支持アーム間の間隙に配されており、これら光ファイバ心線が光接続部収納トレーの移動を妨げることことなく光接続部収納トレーが支持部材から引き出され、引き出されたトレーの光接続部保持部が全面開放される。
【００１０】
さらに請求項１に記載されたクロージャは、前記光ファイバ接続部の収納構造における光接続部保持部の両側に、光接続部保持部に収納される光接続部の両端から延びる光ファイバ心線をそれぞれ保持する心線保持部を備えてなり、心線保持部は、弾性部材に光ファイバ心線が差し込まれて挟持される切り込み部が形成されてなることを特徴とする。
【００１１】
請求項１に記載されたクロージャの光ファイバ接続部の収納構造においては、光接続部保持部に光接続部を収納したとき、光接続部の両端から延びる光ファイバ心線を心線保持部に形成された切り込み部に差し込むと、弾性部材の弾発力によって切り込み部間に光ファイバ心線が挟持される。
【００１２】
【発明の実施の形態】
本発明に係る光ファイバ接続部の収納構造の実施の形態を図１ないし図４に示して詳細に説明する。
図１および図２に示す光ファイバ接続部の収納構造１０は、光ファイバケーブルＣから引き出された光ファイバテープＴ（光ファイバ心線）どうしを接続するＭＴコネクタ１１（光接続部）を収納するためのもので、ＭＴコネクタ１１を収納する複数のトレー（光接続部収納トレー）２０と、このトレー２０を前後方向にスライド可能に支持する支持ラック（支持部材）３０とから構成されている。
【００１３】
図３に示すトレー２０は、矩形の平板形状を有しており、相対する両側部に沿ってそれぞれ設けられたガイドレール部２１と、ガイドレール部２１に平行なスライド方向に沿って並列配置された光接続部保持部２２とを備えている。
【００１４】
光接続部保持部２２は、トレー２０上に等間隔を空けて平行に立設された複数壁部２３からなり、壁部２３どうしの間隔は、接続クリップ１１ａを含めたＭＴコネクタ１１の厚さ方向とほぼ同寸法とされ、この壁部２３間に接続されたＭＴコネクタ１１を収納配置するようになっている。
【００１５】
さらに、光接続部保持部２２の両側には、光接続部保持部２２に収納されるＭＴコネクタ１１両端の光ファイバテープＴをそれぞれ保持する心線保持部２４が設けられている。この心線保持部２４は、壁部２３の両端側にそれぞれ配置されたゴム材質の部材であり、ＭＴコネクタ１１両端の光ファイバテープＴが差し込まれて挟持される切り込み部２４ａが各光接続部保持部２２の両側にひとつずつ形成されている。
【００１６】
支持ラック３０は、トレー２０の引き出し方向に対して垂直に立設された背面板３１に、この背面板３１から前方に延出し、トレー２０を支持する一対の支持アーム３２、３２を複数備えている。
【００１７】
支持アーム３２、３２の相対する側面には、長さ方向に沿って断面コ字型の溝３２ａがそれぞれ形成されており、対をなして配置された支持アーム３２、３２間の相対する溝３２ａにトレー２０のガイドレール部２１がそれぞれ通されることによって、トレー２０が支持アーム３２の長さ方向にスライド可能に配置されている。
【００１８】
さらに、一対の支持アーム３２、３２は背面板３１に沿って上下に階層配置されており、上下に隣り合う支持アーム３２の間に間隙３３が形成されている。この間隙３３は、支持アーム３２の先端側から背面板３１にかけて形成されており、支持ラック３０を側方視すると背面板３１と支持アーム３２とが櫛状に配置されている。間隙３３には、光接続部保持部２２に保持されたＭＴコネクタ１１両端の光ファイバテープＴが配されるようになっている。
【００１９】
図４には光ファイバ接続部の収納構造１０を内部に備えるクロージャ１００を示す。このクロージャ１００には、クロージャスリーブ１０１の内部中央に光ファイバ接続部の収納構造１０が配置され、クロージャスリーブ１０１の両端に保持された光ファイバケーブルＣから引き出された光ファイバテープＴどうしを接続するＭＴコネクタ１１が収納されている。
【００２０】
ここで、光ファイバ接続部の収納構造１０は、ＭＴコネクタ１１の収納方向がクロージャスリーブ１０１の長さ方向に一致せず、やや角度を持たせて斜めに配置されている。さらに、光ファイバケーブルＣから引き出された光ファイバテープＴは一旦支持ラック３０の側方を迂回し、それぞれ反対側の側面からトレー２０上に配されており、上方から見るとクロージャスリーブ１０１内の光ファイバテープＴがＳ字を描くように収納されている。
【００２１】
上記のように構成された光ファイバ接続部の収納構造１０によれば、トレー２０上にＭＴコネクタ１１が並列に配置され、さらにこれらのトレー２０が上下に階層配置されることによってＭＴコケクタ１１が立体的に配置されるので、ＭＴコネクタ１１をより高密度に収納することができる。
【００２２】
光接続部保持部２２に保持されたＭＴコネクタ１１両端の光ファイバテープＴが、上下に隣り合う支持アーム３２間の間隙３３を通過して外部に配されるので、これら光ファイバテープＴがトレー２０の移動を妨げることことなくトレー２０が支持ラック３０から引き出され、引き出されたトレー２０が全面開放されて光接続部保持部２２に保持されたＭＴコネクタ１１が簡単に取り出せ、光ファイバテープＴの接続切替え分岐接続作業を容易に実施することができる。
【００２３】
光接続部保持部２２にＭＴコネクタ１１を収納するとき、ＭＴコネクタ１１両端の光ファイバテープＴを心線保持部２４に形成された切り込み部２４ａに差し込むことによって光ファイバテープＴが挟持され、ＭＴコネクタ１１の横ずれを防止することができる。しかも、ゴム材質の弾発力によって挟持されるので、光ファイバテープＴの装着が容易であり、強い挟持力が働かないために光ファイバテープＴが傷ついたりしない。
【００２４】
また、クロージャ１００によれば、光ファイバテープＴの余長部分が光ファイバ接続部の収納構造１０のまわりに取り回されてクロージャ１００内にＳ字状に収納されているので、トレー２０を引き出すときにも光ファイバテープＴが無理なく撓み、光ファイバテープＴに負担がかからずしかもトレー２０の引き出しが滑らかに行なえるようになっている。
【００２５】
なお、上記の光ファイバ接続部の収納構造１０は、クロージャに限らず、複数の光ファイバテープＴを接続するあらゆる部位に適用可能である。
【００２６】
【発明の効果】
請求項１に記載されたクロージャによれば、光接続部収納トレー上に光接続部が並列に配置され、さらに該光接続部収納トレーが上下に階層配置されることによって光接続部が立体的に配置されるので、光接続部をより高密度に収納することができる。しかも、光接続部収納トレー上に保持された光接続部両端の光ファイバ心線が、上下に隣り合う支持アーム間の間隙を通過して外部に配されるので、これら光ファイバ心線が光接続部収納トレーの移動を妨げることことなく光接続部収納トレーが支持部材から引き出され、引き出された光接続部収納トレーが全面開放され、光接続部が簡単に取り出せて光ファイバテープの接続切替え分岐接続作業が容易に実施可能となる。
【００２７】
さらに請求項１に記載されたクロージャによれば、光接続部保持部に光接続部を収納したとき、光接続部両端の光ファイバ心線を心線保持部に形成された切り込み部に差し込むことによって光ファイバ心線が挟持されるので、光接続部収納トレー上での光接続部の横ずれを防止することができる。しかも、弾性部材の弾発力によって挟持されるので、光ファイバ心線の装着が容易であり、強い挟持力が働かないために光ファイバ心線が傷ついたりしない。
【図面の簡単な説明】
【図１】  本発明に係る光ファイバ接続部の収納構造の実施の形態を示す側面図である。
【図２】  図１におけるＩＩ線矢視側面図である。
【図３】  図１におけるＩＩＩ−ＩＩＩ線矢視側面図である。
【図４】  光ファイバ接続部の収納構造を内部に備えるクロージャを示す平面図である。
【符号の説明】
１０…光ファイバ接続部の収納構造、１１…ＭＴコネクタ、２０…トレー、２１…ガイドレール部、２２…光接続部保持部、２４…心線保持部、２４ａ…切り込み部、３０…支持ラック、３２…支持アーム、３３…間隙
【図１】
0003816135.tif 000002
【図２】
0003816135.tif 000003
【図３】
0003816135.tif 000004
【図４】
0003816135.tif 000005